(57)【要約】【課題】  テレビジョンチューナでＦＭ放送信号を受信しても受信感度が十分に得られるようにする。【解決手段】  同調回路２２、２４に同調周波数を変えるための第１のバラクタダイオード２２ａ、２４ａを設けると共に、発振器２６に発振周波数を変えるための第２のバラクタダイオード２６ａを設け、テレビジョン信号を受信するときには第１のバラクタダイオード２２ａ、２４ａの両端間の同調電圧と第２のバラクタダイオード２８ａの両端間の同調電圧を等しくし、ＦＭ放送信号を受信するときには第１のバラクタダイオード２２ａ、２４ａの両端間の同調電圧よりも第２のバラクタダイオード２８ａの両端間の同調電圧を相対的に低くした。【選択図】        図１
2005348234.tif 000002
【特許請求の範囲】
【請求項１】
受信すべきテレビジョン信号に同調する同調回路と、前記テレビジョン信号を中間周波信号に周波数変換するミキサと、前記同調回路の同調周波数に連動して周波数が変化する局部発振信号を前記ミキサに供給する発振器とを備え、前記同調回路に前記同調周波数を変えるための第１のバラクタダイオードを設けると共に、前記発振器に発振周波数を変えるための第２のバラクタダイオードを設け、テレビジョン信号を受信するときには前記第１のバラクタダイオードの両端間の同調電圧と前記第２のバラクタダイオードの両端間の同調電圧を等しくし、ＦＭ放送信号を受信するときには前記第１のバラクタダイオードの両端間の同調電圧よりも前記第２のバラクタダイオードの両端間の同調電圧を相対的に低くしたことを特徴とするテレビジョンチューナ。
【請求項２】
前記第１及び第２のバラクタダイオードの各アノードを直流的に接地すると共に、前記第１のバラクタダイオードのカソードに同調電圧を印加し、前記第２のバラクタダイオードのカソードには、前記テレビジョン信号を受信するときには前記同調電圧を印加し、前記ＦＭ放送信号を受信するときには前記同調電圧を分圧して印加したことを特徴とする請求項１に記載のテレビジョンチューナ。
【請求項３】
前記発振器は、前記第２のバラクタダイオードと、前記第２のバラクタダイオードのアノードに一端が接続されると共に他端が接地されたインダクタンス素子とからなる共振回路を有し、エミッタが接地されたスイッチトランジスタを設け、前記スイッチトランジスタのコレクタと前記第２のバラクタダイオードのカソードとの間を第１の抵抗でに接続し、前記第２のバラクタダイオードのカソードに第２の抵抗を介して前記同調電圧を印加したことを特徴とする請求項２に記載のテレビジョンチューナ。
【請求項４】
前記第１及び第２のバラクタダイオードの各カソードに同調電圧を印加すると共に、前記第１のバラクタダイオードのアノードを直流的に接地し、前記テレビジョン信号を受信するときには前記第２のバラクタダイオードのアノードを直流的に接地し、前記ＦＭ放送信号を受信するときには前記第２のバラクタダイオードのアノードに前記同調電圧よりも低い電圧を印加したことを特徴とする請求項１に記載のテレビジョンチューナ。
【請求項５】
前記発振器は、前記第２のバラクタダイオードと、前記第２のバラクタダイオードのアノードに一端が接続されると共に他端がコンデンサを介して接地されたインダクタンス素子とからなる共振回路を有し、エミッタが接地されたスイッチトランジスタと前記スイッチトランジスタのコレクタとグランドとの間に接続された分圧回路とを設け、前記スイッチトランジスタのコレクタを電源にプルアップすると共に、前記インダクタンス素子の他端を前記分圧回路の分圧点に接続したことを特徴とする請求項４に記載のテレビジョンチューナ。
【発明の詳細な説明】
【技術分野】
【０００１】
本発明は、テレビジョンチューナに関する。
【背景技術】
【０００２】
テレビジョン受信機等に使用される従来のチューナを図４参照して説明する。アンテナ１０と第１周波数変換回路６の混合回路１との間に高周波同調回路１１を接続してあり、可変電源９の第１同調電圧ＶＴ１が第１局部発振回路２を形成する可変容量ダイオードの同調電圧として供給され、第１同調電圧ＶＴ１の可変範囲を伸長した第２同調電圧ＶＴ２が高周波同調回路１１を形成する可変容量ダイオードの同調電圧として供給される。高周波同調回路１１と第１局部発振回路２は、容量素子としてそれぞれ可変容量ダイオードを含んで構成される。
【０００３】
第２同調電圧ＶＴ２は第１同調電圧ＶＴ１を伸長回路１２に加えることにより得られるが、第２同調電圧ＶＴ２は第１同調電圧ＶＴ１の可変範囲を７倍に伸長してある。これは、高周波同調回路１１の全体の容量の可変比が第１局部発振回路２の全体の容量の可変比の７．３４倍であることから、第２同調電圧ＶＴ２の可変範囲を第１同調電圧ＶＴ１の可変範囲の７．３４倍に近い７倍にすることにより、高周波同調回路１１の全体の容量の可変比が１．２１になり、トラッキングエラーを生じない条件が満たされるものと仮定して設定されたものである。
【０００４】
そして、受信された高周波信号は第１局部発振回路２の発振信号と混合されて第１中間周波信号が得られ、第１中間周波信号は第１中間周波増幅回路３で増幅されてから、第２周波数変換回路５の発振信号と混合されて第２中間周波信号が得られる。第２中間周波信号は端子８を経て図示されていない検波回路に加えられる（例えば、特許文献１参照。）。
【０００５】
【特許文献１】特開平０７−２８３６９３号公報（図１）
【０００６】
高周波同調回路１１及び第１局部発振回路２に使用されている可変容量ダイオードは、通常そのアノードが接地され、カソードに同調電圧が印加されるが、トラッキングエラーが生じないようになっている。そして、このような構成でテレビジョン信号を受信する際には、高周波同調回路１１の同調特性を図５のＡに示すように、映像搬送波周波数Ｐの位置がピークとなり音声搬送波周波数Ｓの位置はそれよりも数ｄＢ低くなるように設定して中間周波信号に周波数変換している。その理由は、復調後の映像信号の周波数特性をフラットにする必要があるためである。
【発明の開示】
【発明が解決しようとする課題】
【０００７】
しかし、このままの状態で受信バンドを広げてＦＭ放送を受信し、これをテレビジョンの音声中間周波数に周波数変換しようとすると、高周波同調回路での同調特性は、図５のＢに示すように、受信すべきＦＭ放送信号の周波数Ｆよりも４．５ＭＨｚ低い周波数Ｐ′の位置がピークとなり、受信すべきＦＭ放送信号のレベルが低下して受信感度が低下するという問題が生じる。
【０００８】
本発明は、テレビジョンチューナでＦＭ放送信号を受信しても受信感度が十分に得られるようにすることを目的とする。
【課題を解決するための手段】
【０００９】
上記課題を解決するため、受信すべきテレビジョン信号に同調する同調回路と、前記テレビジョン信号を中間周波信号に周波数変換するミキサと、前記同調回路の同調周波数に連動して周波数が変化する局部発振信号を前記ミキサに供給する発振器とを備え、前記同調回路に前記同調周波数を変えるための第１のバラクタダイオードを設けると共に、前記発振器に発振周波数を変えるための第２のバラクタダイオードを設け、テレビジョン信号を受信するときには前記第１のバラクタダイオードの両端間の同調電圧と前記第２のバラクタダイオードの両端間の同調電圧を等しくし、ＦＭ放送信号を受信するときには前記第１のバラクタダイオードの両端間の同調電圧よりも前記第２のバラクタダイオードの両端間の同調電圧を相対的に低くした。
【００１０】
また、前記第１及び第２のバラクタダイオードの各アノードを直流的に接地すると共に、前記第１のバラクタダイオードのカソードに同調電圧を印加し、前記第２のバラクタダイオードのカソードには、前記テレビジョン信号を受信するときには前記同調電圧を印加し、前記ＦＭ放送信号を受信するときには前記同調電圧を分圧して印加した。
【００１１】
また、前記発振器は、前記第２のバラクタダイオードと、前記第２のバラクタダイオードのアノードに一端が接続されると共に他端が接地されたインダクタンス素子とからなる共振回路を有し、エミッタが接地されたスイッチトランジスタを設け、前記スイッチトランジスタのコレクタと前記第２のバラクタダイオードのカソードとの間を第１の抵抗でに接続し、前記第２のバラクタダイオードのカソードに第２の抵抗を介して前記同調電圧を印加した。
【００１２】
また、前記第１及び第２のバラクタダイオードの各カソードに同調電圧を印加すると共に、前記第１のバラクタダイオードのアノードを直流的に接地し、前記テレビジョン信号を受信するときには前記第２のバラクタダイオードのアノードを直流的に接地し、前記ＦＭ放送信号を受信するときには前記第２のバラクタダイオードのアノードに前記同調電圧よりも低い電圧を印加した。
【００１３】
また、前記発振器は、前記第２のバラクタダイオードと、前記第２のバラクタダイオードのアノードに一端が接続されると共に他端がコンデンサを介して接地されたインダクタンス素子とからなる共振回路を有し、エミッタが接地されたスイッチトランジスタと前記スイッチトランジスタのコレクタとグランドとの間に接続された分圧回路とを設け、前記スイッチトランジスタのコレクタを電源にプルアップすると共に、前記インダクタンス素子の他端を前記分圧回路の分圧点に接続した。
【発明の効果】
【００１４】
請求項１の発明によれば、同調回路に同調周波数を変えるための第１のバラクタダイオードを設けると共に、発振器に発振周波数を変えるための第２のバラクタダイオードを設け、テレビジョン信号を受信するときには第１のバラクタダイオードの両端間の同調電圧と第２のバラクタダイオードの両端間の同調電圧を等しくし、ＦＭ放送信号を受信するときには第１のバラクタダイオードの両端間の同調電圧よりも第２のバラクタダイオードの両端間の同調電圧を相対的に低くしたので、受信すべきＦＭ放送信号に同調回路を同調させることができる。従ってＦＭ放送の受信感度を高められる。
【００１５】
また、請求項２の発明によれば、第１及び第２のバラクタダイオードの各アノードを直流的に接地すると共に、第１のバラクタダイオードのカソードに同調電圧を印加し、第２のバラクタダイオードのカソードには、テレビジョン信号を受信するときには同調電圧を印加し、ＦＭ放送信号を受信するときには同調電圧を分圧して印加したので、ＦＭ放送信号の受信時に第２のバラクタダイオードの両端間の同調電圧を第１のバラクタダイオードのそれよりも相対的に低くすることができる。
【００１６】
また、請求項３の発明によれば、発振器は、第２のバラクタダイオードと、第２のバラクタダイオードのアノードに一端が接続されると共に他端が接地されたインダクタンス素子とからなる共振回路を有し、エミッタが接地されたスイッチトランジスタを設け、スイッチトランジスタのコレクタと第２のバラクタダイオードのカソードとの間を第１の抵抗でに接続し、第２のバラクタダイオードのカソードに第２の抵抗を介して同調電圧を印加したので、ＦＭ放送信号の受信時にはスイッチトランジスタをオンにすることで、第２のバラクタダイオードの両端間の同調電圧を第１のバラクタダイオードのそれよりも相対的に低くすることができる。
【００１７】
また、請求項４の発明によれば、第１及び第２のバラクタダイオードの各カソードに同調電圧を印加すると共に、第１のバラクタダイオードのアノードを直流的に接地し、テレビジョン信号を受信するときには第２のバラクタダイオードのアノードを直流的に接地し、ＦＭ放送信号を受信するときには第２のバラクタダイオードのアノードに同調電圧よりも低い電圧を印加したので、ＦＭ放送信号の受信時に第２のバラクタダイオードの両端間の同調電圧を第１のバラクタダイオードのそれよりも相対的に低くすることができる。
【００１８】
また、請求項５の発明によれば、発振器は、第２のバラクタダイオードと、第２のバラクタダイオードのアノードに一端が接続されると共に他端がコンデンサを介して接地されたインダクタンス素子とからなる共振回路を有し、エミッタが接地されたスイッチトランジスタとスイッチトランジスタのコレクタとグランドとの間に接続された分圧回路とを設け、スイッチトランジスタのコレクタを電源にプルアップすると共に、インダクタンス素子の他端を分圧回路の分圧点に接続したので、ＦＭ放送信号の受信時にはスイッチトランジスタをオフにすることで、第２のバラクタダイオードの両端間の同調電圧を第１のバラクタダイオードのそれよりも相対的に低くすることができる。
【発明を実施するための最良の形態】
【００１９】
以下、図１乃至図３によって本発明のテレビジョンチューナを説明する。図１は第１の実施形態、図２は同調回路の同調特性、図３は第２の実施携帯を示す。
【００２０】
先ず、図１において、入力端２１にはテレビジョン信号及びＦＭ放送信号が入力される。入力端２１に結合された入力同調回路２２は、同調用のバラクタダイオード２２ａを有する。入力同調回路２２に次段には高周波増幅器２３が接続され、その次段には段間同調回路２４が接続される。段間同調回路２４にも同調用のバラクタダイオード２４ａが設けられる。ここで、入力同調回路２２のバラクタダイオード２２ａ及び段間同調回路２４のバラクタダイオード２４ａを共に第１のバラクタダイオードと呼ぶ。第１のバラクタダイオード２２ａ、２４ａのアノードは共に直流的に接地され、各カソードには同調電圧Ｖｔが印加される。
【００２１】
段間同調回路２４の次段にはミキサ２５が接続される。ミキサ２５には発振器２６から局部発振信号が供給される。発振器２６は発振用のトランジスタ２７と、発振トランジスタ２７に結合された共振回路２８とを有する。共振回路２８は第２のバラクタダイオード２８ａと、そのアノードに一端が接続され、他端が接地されたインダクタンス素子２８ｂと、第２のバラクタダイオード２８ａのカソードとグランドとの間に接続されたコンデンサ２８ｃとを有する。
【００２２】
また、発振器２６とは別に、エミッタが接地されたスイッチトランジスタ２９が設けられる。スイッチトランジスタ２９のコレクタは第１の抵抗３０を介して第２のバラクタダイオード２８ａのカソードに接続される。スイッチトランジスタ２９はベースに印加される切替電圧によってオン又はオフに切り替えられる。
【００２３】
そして、第１のバラクタダイオード２８ａのカソードには第２の抵抗３１を介して同調電圧Ｖｔが印加される。第１のバラクタダイオード２２ａ、２４ａのカソードにも同調電圧Ｖｔが印加される。
【００２４】
以上の構成において、入力されたテレビジョン信号及びＦＭ放送信号は２つの同調回路２２、２４を経てミキサに入力され、局部発振信号と混合されて中間周波信号に周波数変換されるが、テレビジョン信号を受信する場合にはスイッチトランジスタがオフとされる。
【００２５】
この結果、第２のバラクタダイオード２８ａのカソードには第１のバラクタダイオード２２ａ、２４ａのカソードに印加される同調電圧と同じ値電圧が印加され、同調回路２２、２４の同調周波数と発振器２６の発振周波数との間にはトラッキングエラーが生じることがなく、各チャンネルのテレビジョン信号は所定の中間周波信号に変換される。この場合の同調回路２２、２４の総合の同調特性は図２のＡにように、映像搬送波周波数Ｐの位置がピークとなり、音声搬送波周波数の位置Ｓがそれよりも数ｄＢ低くなっている。そして、映像搬送波が映像中間周波に変換され、音声搬送波が音声中間周波に変換される。
【００２６】
一方、ＦＭ放送信号を受信する場合には、スイッチトランジスタ２９がオンとされる。その結果、第２のバラクタダイオード２８ａのカソードには第１の抵抗３０と第２の抵抗３１とによって分圧された同調電圧が印加される。つまり、ＦＭ放送信号の受信では、第１のバラクタダイオード２２ａ、２４ａのアノード−カソード間の同調電圧よりも第２のバラクタダイオード２８ａのアノード−カソード間の同調電が相対的に小さくなる。この結果、発振周波数は受信すべきＦＭ放送信号に対する周波数を外れて低い方にシフトする。この時の総合の同調特性は図５のＢに示すものとなる。
【００２７】
しかし、発振周波数を本来必要とする周波数に一致させるために、同調電圧Ｖｔを高くすると、同調回路２２、２４の同調周波数も高い方にシフトして、図２のＢに示すように受信すべき周波数Ｆに同調させることができる。
【００２８】
図３は第２の実施形態を示すが、発振器２６における共振回路２８の構成と、第２のバラクタダイオード２８ａに同調電圧を印加する構成が図１と異なる。それ以外の構成は図１と同じであるのでその説明を省略する。
【００２９】
共振回路２８は、第２のバラクタダイオード２８ａと、そのアノードに一端が接続されると共に、他端がコンデンサ２８ｄを介して接地されたインダクタンス素子２８ｂと第２のバラクタダイオードのカソードとグランドとの間に接続されたコンデンサ２８ｃとを有する。スイッチトランジスタ２７はエミッタが接地され、コレクタは電源Ｂにプルアップされる。また、コレクタとグランドとの間には、抵抗３３２ａと３２ｂとからなる分圧回路３２が接続される。そして、インダクタンス素子２８ｂの他端が分圧点（抵抗３２ａと３２ｂとの接続点）に接続される。また、第２のバラクタダイオード２８ａのカソードには同調電圧が印加される。
【００３０】
図２の構成においては、スイッチトランジスタ２９は、テレビジョン信号を受信する場合にはオンされ、ＦＭ放送信号を受信する場合にはオフされる。従って、テレビジョン信号を受信する場合には第２のバラクタダイオード２８ａのアノードは直流的に接地され、図１の構成と同じとなる。また、ＦＭ放送信号を受信する場合には分圧回路３２によって分圧された電圧が第２のバラクタダイオード２８のアノードに印加される。よって、図１の動作と同様に、第２のバラクタダイオード２８ａの両端間の同調電圧は、ＦＭ放送信号を受信する場合には第１のバラクタダイオード２２ａ２４ａの両端間の電圧よりも相対的に小さくなる。従って、図１と同様な作用によって、ＦＭ放送信号を受信する場合には、同調回路２２、２４を受信すべき信号の信号に同調させることができる。
【図面の簡単な説明】
【００３１】
【図１】本発明のテレビジョンチューナの第１の実施形態の回路図である。
【図２】本発明のテレビジョンチューナにおける同調特性図である。
【図３】本発明のテレビジョンチューナの第２の実施形態の回路図である
【図４】従来のテレビジョンチューナの回路図である。
【図５】従来のテレビジョンチューナにおける同調特性図である。
【符号の説明】
【００３２】
２１：入力端
２２：入力同調回路
２２ａ：第１のバラクタダイオード
２３：高周波増幅器
２４：段間同調回路
２４ａ：第１のバラクタダイオード
２５：ミキサ
２６：発振器
２７：発振トランジスタ
２８：共振回路
２８ａ：第２のバラクタダイオード
２８ｂ：インダクタンス素子
２８ｃ、２８ｄ：コンデンサ
２９：スイッチトランジスタ
３０：第１の抵抗
３１：第２の抵抗
３２：分圧回路
３２ａ、３２ｂ：抵抗
【図１】
2005348234.tif 000003
【図２】
2005348234.tif 000004
【図３】
2005348234.tif 000005
【図４】
2005348234.tif 000006
【図５】
2005348234.tif 000007